(57)【要約】      （修正有）【課題】景観を損なわず、小型及び／又は低コストであり、堤体をより確実に上昇させることができ、危険を生じる前の充分早い段階で堤体を上昇させることができる溢水防止装置を提供する。【解決手段】上方への移動が可能な堤体１０と、水圧に応じて内部の流体圧を上昇させる流体タンク２０と、前記流体タンク２０の流体圧によって前記堤体１０を上昇させる駆動手段３０とを有することを特徴とする溢水防止装置とした。【選択図】図１
2018087427.tif 000002
【特許請求の範囲】
【請求項１】
上方への移動が可能な堤体と、
水圧に応じて内部の流体圧を上昇させる流体タンクと、
前記流体タンクの流体圧によって前記堤体を上昇させる駆動手段と
を有することを特徴とする溢水防止装置。
【請求項２】
前記流体タンクが、増水時の水没領域に設置されていることを特徴とする請求項１に記載の溢水防止装置。
【請求項３】
前記流体タンクが海底、川底、海岸又は河原に設置されていることを特徴とする請求項１又は２に記載の溢水防止装置。
【請求項４】
前記堤体は、転倒及び起立が可能であり、
前記堤体は、転倒した状態で地下に埋設されることを特徴とする請求項１〜３のいずれか一項に記載の溢水防止装置。
【請求項５】
前記流体タンクと前記駆動手段の流体連絡を開閉するためのバルブをさらに有することを特徴とする請求項１〜４のいずれか一項に記載の溢水防止装置。
【請求項６】
災害情報を受信した際に前記バルブを開く制御手段をさらに有することを特徴とする請求項１〜５のいずれか一項に記載の溢水防止装置。
【発明の詳細な説明】
【技術分野】
【０００１】
本発明は、増水時に堤体が上昇する溢水防止装置に関する。
【背景技術】
【０００２】
特許文献１は、増水時の水圧で堤体（前板）が回転／上昇する溢水防止装置を開示している。特許文献２は、増水時に浮力で堤体が上昇する溢水防止装置を開示している。
【先行技術文献】
【特許文献】
【０００３】
【特許文献１】特開２０１１−０４７１６０号公報
【特許文献２】特許第５６６４８８８号公報
【発明の概要】
【発明が解決しようとする課題】
【０００４】
特許文献１は、堤防上に多数の溢水防止装置を配列するため景観が悪い。特許文献２では、大体積のフロートを使用するため、大掛かりな設置工事が必要であり、天端の狭い堤防には設置できない問題がある。さらに、収容用空所に進入した異物が詰まって動作に支障を来す可能性もある。また、特許文献１，２とも、溢水防止装置の高さまで増水したときにはじめて堤体が上昇するので、故障があった場合には対処が間に合わない。
【０００５】
本発明は、景観を損なわない溢水防止装置、及び／又は、小型及び／又は低コストの溢水防止装置、及び／又は、堤体をより確実に上昇させることができる溢水防止装置、及び／又は、危険を生じる前の充分早い段階で堤体を上昇させる溢水防止装置、及び／又は、溢水の危険が判断されないときに頻繁に堤体が上昇することを回避できる溢水防止装置を提供することを目的とする。
【課題を解決するための手段】
【０００６】
本発明は、上方への移動が可能な堤体と、水圧に応じて内部の流体圧を上昇させる流体タンクと、前記流体タンクの流体圧によって前記堤体を上昇させる駆動手段とを有することを特徴とする溢水防止装置とした。
【発明の効果】
【０００７】
本発明では、水圧により流体タンクの流体圧が上昇し、その流体圧で堤体を上昇させるので、増水時に自動的に堤体を上昇させることができる。川底・湖底・海底の水圧利用で堤体を上昇させるので、装置コストを低減できる（大出力のコンプレッサーやアクチュエータを使用しなくてよい）。堤防上には堤体及び駆動手段のみを設ければよいので、設置工事が大掛かりにならない。堤体や駆動手段は、埋設可能であり、景観を損なわない。
【図面の簡単な説明】
【０００８】
【図１】本発明の一実施形態の溢水防止装置１を示す。
【図２】増水時の溢水防止装置１の動作を示す。
【図３】他の実施形態の溢水防止装置１Ａを示す。
【図４】他の実施形態の溢水防止装置１Ｂを示す。
【発明を実施するための形態】
【０００９】
図１は、本発明の一実施形態の溢水防止装置１を示す。図中２は川底であり、３は堤防である。本発明の溢水防止装置１は、上下動が可能な堤体１０と、流体タンク２０と、駆動手段３０を有する。
【００１０】
本実施形態の堤体１０は、上昇したとき（図２参照）に陸側への溢水を防止するための十分な高さ（図２のＸ方向）及び幅（川の流れの方向）を有する。他のサイズでもよい。堤体１０は、例えば、コンクリートや鋼鉄等の板状の部材とすることができる。鋼鉄等の骨組みに遮水シートを貼り付けたものを堤体１０としてもよい。
【００１１】
本実施形態の堤体１０は、回転軸１１の周りで回転することで上下動するよう構成されている。他の方法（例えば、上下方向へのスライド移動）で上下動してもよい。堤体１０は、平時は、図１のように、転倒した状態である。転倒した堤体１０の上面が天端３ａに概略一致するように設置すると、段差を生じず、景観も損なわないのでよい。堤体１０の設置強度を高めるため、堤体１０を基礎杭１２や土台１３の上に設置するとよい。
【００１２】
流体タンク２０は、流体（本実施形態では、空気）を貯留する部材である。流体は水でもよい。その場合、流体タンク２０の水を渇水時に利用できるので好適である。流体タンク２０の内圧（流体タンク２０に貯留される流体の圧力）は、川底の水圧に応じて変動する。流体タンク２０は、変形可能な流体を通さない部材で構成された中空箱体又は袋体とすることができる。本実施形態の流体タンク２０は、川底２の下に埋設されている。川底２の上に設置してもよい。
【００１３】
流体タンク２０は、配管２１を介して空気取入口２２に接続されており、平時に流体タンク２０に充分な量の空気が貯留される。平時の流体タンク２０の内圧は、例えば、１〜数気圧である。配管２１には、流体タンク２０に空気を送り込むコンプレッサー２３や空気の逆流を防止する逆止弁２４を設けるとよい。
【００１４】
駆動手段３０は、流体圧によって堤体１０を上昇させる駆動力を発生させる手段である。流体圧によって物を駆動する手段は、空圧式のアクチュエータ（例えば、エアシリンダー）をはじめとして様々なものが公知であり、流体の種類や堤体１０の上下動の方法に応じて適宜の手段を選択するとよい。駆動手段３０は、地下に埋設するとよい。流体タンク２０と駆動手段３０は、配管３１により接続されている。配管３１にはバルブ３２を設けるとよい。
【００１５】
図２は、増水時の溢水防止装置１の動作を示す。増水により川の水圧が増すと、それにより、流体タンク２０内の流体圧が上昇し、上昇した流体圧により、駆動手段３０が堤体１０を上昇させる（図２（ａ））。これにより、陸側への溢水を防止することができる（図２（ｂ））。
【００１６】
溢水防止装置１は、構造が簡単で設置コストを低減できる。水圧利用で堤体１０を上昇させるので、大出力の駆動装置は不要である。また、溢水の危険があると判断したときのみバルブ３２を開ければよい。これにより、増水するごとに（溢水の危険がないときに）堤体１０を上昇させなくて済む。また、水位が危険レベルに達する前の充分に早い段階で堤体１０を上昇させることができる（図２（ａ））。よって、故障等で堤体１０が上昇しない事態が生じても、土嚢を積んだり、住民に退避を勧告するなどの対処をする時間的余裕がある。また、堤体１０や駆動手段３０が埋設式なので、景観を害さない。
【００１７】
図３は、他の実施形態の溢水防止装置１Ａを示す。溢水防止装置１Ａは、有線又は無線でバルブ３２を制御するコンピュータ等の制御手段４０をさらに有する。制御手段４０は、国や地方公共団体、気象庁等から決壊警報、津波警報等が発令された際（災害情報を受信した際）にバルブ３２を開く。よって、危険がないのに頻繁に堤体１０が上昇する不都合を防止できる。制御手段４０は、近隣の建物等に設置するとよい。
【００１８】
図４は、他の実施形態の溢水防止装置１Ｂを示す。本例では、河原２ａを有する川に溢水防止装置１Ｂが設置されている。この場合、流体タンク２０は、河原２ａに設置することができるので、管理・メンテが容易になる。増水時には流体タンク２０が水没し、川水の水圧が掛かるので、溢水防止装置１と同様の効果が達成される。このように、流体タンク２０は、必ずしも水底に設置する必要はなく、増水時に水没する領域（増水時の水没領域）に設置すれば足りる。コンプレッサー２３等も河原２ａに設置するとよい。
【００１９】
上記実施形態では、川岸に溢水防止装置を設置する例を示したが、海岸や湖岸に設置し、海水や湖水の水圧で動作する溢水防止装置としてもよいことは勿論である。
【産業上の利用可能性】
【００２０】
本発明の溢水防止装置は、川岸、海岸、湖岸等での溢水防止に利用できる。
【符号の説明】
【００２１】
１、１Ａ、１Ｂ・・・溢水防止装置
２・・・川底
２ａ・・・河原
３・・・堤防
３ａ・・・天端
１０・・・堤体
１１・・・回転軸
１２・・・基礎杭
１３・・・土台
２０・・・流水タンク
２１・・・配管
２２・・・空気取入口
２３・・・コンプレッサー
２４・・・逆止弁
３０・・・駆動手段
３１・・・配管
３２・・・バルブ
４０・・・制御手段
【図１】
2018087427.tif 000003
【図２】
2018087427.tif 000004
【図３】
2018087427.tif 000005
【図４】
2018087427.tif 000006